(57)【要約】【課題】色覚障害がある人にもない人にも認識しやすく、容易に製造でき、美観に優れた表示物を提供する。【解決手段】垂直入射光に対して所定の赤色波長光を反射し、入射角が大きくなるにつれてその反射波長がシフトする第１の反射膜１１と、垂直入射光に対して所定の緑色波長光を反射し、入射角が大きくなるにつれてその反射波長がシフトする第２の反射膜１２とをそれぞれ所定の第１および第２の領域に配置する。第１および第２の領域の色相がそれぞれ、正面から視認した場合には赤色と緑色に視認され、斜め方向から視認した場合にはそれぞれシフトした波長色（例えば、緑と青）に視認される。これにより、色覚障害がある人もない人も同時に認識できる表示を行うことができる。【選択図】図３
2007271946.tif 000002
【特許請求の範囲】
【請求項１】
基材上に、第１および第２の領域を有し、前記第１および第２の領域の色相の差によって表示内容を表す表示物であって、
前記第１の領域には、垂直入射光に対して所定の赤色波長光を反射する第１の反射膜が配置され、前記第２の領域には、垂直入射光に対して所定の緑色波長光を反射する第２の反射膜が配置され、
前記第１および第２の反射膜は、入射光の入射角が大きくなるにつれ反射波長がシフトする性質を有することを特徴とする色覚障害者を考慮した表示物。
【請求項２】
基材上に、第１および第２の領域を有し、前記第１および第２の領域の色相の差によって表示内容を表す表示物であって、
前記第１の領域には、垂直入射光に対して所定の第１の波長光を反射する第１の反射膜が配置され、前記第２の領域には、垂直入射光に対して所定の第２の波長光を反射する第２の反射膜が配置され、
前記第１および第２の反射膜は、入射光の入射角が大きくなるにつれ反射波長がシフトする性質を有することを特徴とする色覚障害者を考慮した表示物。
【請求項３】
請求項１または２に記載の色覚障害者を考慮した表示物において、前記第１および第２の反射膜は、多層干渉反射膜であることを特徴とする色覚障害者を考慮した表示物。
【請求項４】
基材上に、第１および第２の領域を有し、前記第１および第２の領域の色相の差によって表示内容を表す表示物であって、
前記第１の領域には、垂直入射光に対して所定の第１波長光を反射する第１の反射膜が配置され、前記第２の領域には、垂直入射光に対して所定の第２波長光を反射する第２の反射膜が配置され、
前記第１および第２の反射膜の少なくとも一方は、入射光の入射角が大きくなるにつれ反射波長がシフトする性質を有することを特徴とする色覚障害者を考慮した表示物。
【請求項５】
請求項１ないし４のいずれか１項に記載の色覚障害者を考慮した表示物において、前記基材は、前記第１および第２の反射膜を透過した可視光を吸収する性質を有することを特徴とする色覚障害者を考慮した表示物。
【請求項６】
垂直入射光に対して所定の赤色波長光を反射し、入射角が大きくなるにつれてその反射波長がシフトする第１の反射膜と、垂直入射光に対して所定の緑色波長光を反射し、入射角が大きくなるにつれてその反射波長がシフトする第２の反射膜とをそれぞれ所定の第１および第２の領域に配置し、
前記第１および第２の領域の色相がそれぞれ、正面から視認した場合には赤色と緑色に視認され、斜め方向から視認した場合にはそれぞれシフトした波長色に視認されることを特徴とする色覚障害者を考慮した表示方法。
【発明の詳細な説明】
【技術分野】
【０００１】
本発明は、２色以上で色分け表示される表示物に関し、特に、色覚障害をもつ人に見やすい表示物に関する。
【背景技術】
【０００２】
色盲、色弱といわれる色覚障害をもつ人の割合は、先天性色覚障害の場合、黄色人種で男性の５％、女性の０．２％程度、白色人種で男性の８％、女性の０．５％程度であり、極ありふれた障害である。そのほとんどは、赤色〜緑色波長域で色の差を識別しにくい赤緑色覚障害である。しかし、色覚障害があっても実際にはかなりの色を見分けられることや、過去に社会的な差別や偏見があったという経緯から、色覚障害があることを表明しにくい状況にあった。そのため、他の障害と比較して、色覚障害がある人への配慮はあまりなされていなかった。
【０００３】
近年では、特許文献１に記載されているように、画像表示装置の赤色表示色や緑色表示色を、映像信号の変換によって他の表示色に代替させることにより、赤緑色覚障害者に判別しやすい画像を表示するシステムが提案されている。
【特許文献１】特開平１１−１７５０５０号公報
【発明の開示】
【発明が解決しようとする課題】
【０００４】
特許文献１に記載の表示システムを用いることにより、パソコン等の表示装置に表示される画像については、映像信号の変換によって色覚障害者に認識しやすい画像に変換することが可能である。しかし、駅、道路、劇場等の案内表示等、多くの表示物は表示装置により表示されたものではないため、電気信号の変換によって色覚障害者に考慮した表示に変換することはできない。また、パソコン等の表示装置と異なり、これらの表示物は、色覚障害のある人もない人も同時に利用するため、色覚障害のある人にとっても、ない人にとっても見やすい表示物でなければならない。しかも、表示物として、美観に優れたものが要求される。
【０００５】
このような表示物を製造するには、表示物を製造する人が、色覚障害者に認識しにくい色の組み合わせ、および認識しやすい色の組み合わせに対する知識を持ち合わせなければならないが、現実には、色覚障害に対する社会的な理解が不足しているため、そのような知識を持ち合わせている人は少ない。結果的に色覚障害者に配慮した表示物が少ないという問題があった。
【０００６】
本発明の目的は、色覚障害がある人にもない人にも認識しやすく、容易に製造でき、美観に優れた表示物を提供することにある。
【課題を解決するための手段】
【０００７】
上記目的を達成するために、本発明では、２つの領域の色相の差により表示内容を表す表示物において、少なくとも一方の領域は、正面から見た場合と斜め方向から見た場合とで色相（反射波長）がシフトするようにする。これにより、色覚障害のある人が正面から見た場合に認識しにくい色相の組み合わせであっても、斜め方向からみることにより、認識しやすい色相の組み合わせに変化するため、色覚障害がある人にもない人にも認識しやすい表示物を提供することができる。
【０００８】
具体的には、本発明の第１の態様によれば、以下のような表示物が提供される。
すなわち、基材上に、第１および第２の領域を有し、第１および第２の領域の色相の差によって表示内容を表す表示物であって、第１の領域には、垂直入射光に対して所定の赤色波長光を反射する第１の反射膜が配置され、第２の領域には、垂直入射光に対して所定の緑色波長光を反射する第２の反射膜が配置されている。第１および第２の反射膜は、入射光の入射角が大きくなるにつれ反射波長がシフトする性質を有する。これにより、正面から見た場合には、赤色と緑色の色分け表示がなされるが、斜め方向から見た場合には、シフトした波長色による色分け表示となるため、色覚障害がない人は正面からも斜め方向からも視認でき、色覚障害がある人は斜め方向から視認できる。よって、色覚障害がある人もない人も同時に認識できる表示物を提供できる。
【０００９】
本発明の第２の態様によれば、以下のような表示物が提供される。
すなわち、基材上に、第１および第２の領域を有し、第１および第２の領域の色相の差によって表示内容を表す表示物であって、第１の領域には、垂直入射光に対して所定の第１の波長光を反射する第１の反射膜が配置され、第２の領域には、垂直入射光に対して所定の第２の波長光を反射する第２の反射膜が配置され、第１および第２の反射膜は、入射光の入射角が大きくなるにつれ反射波長がシフトする性質を有する。
【００１０】
上記第１および第２の態様において、第１および第２の反射膜としては、多層干渉反射膜を用いることができる。
【００１１】
本発明の第３の態様によれば、以下のような表示物が提供される。
すなわち、基材上に、第１および第２の領域を有し、第１および第２の領域の色相の差によって表示内容を表す表示物であって、第１の領域には、垂直入射光に対して所定の第１波長光を反射する第１の反射膜が配置され、第２の領域には、垂直入射光に対して所定の第２波長光を反射する第２の反射膜が配置され、第１および第２の反射膜の少なくとも一方は、入射光の入射角が大きくなるにつれ反射波長がシフトする性質を有する。
【００１２】
例えば、第１波長光が赤、第２波長光が緑である場合、第２の反射膜として反射波長がシフトする膜を用いることが可能である。また、例えば、第１波長光が黄であり、第２波長光が赤または緑である場合、第１の反射膜として反射波長が黄色から青までシフトする膜を用いることができる。これらにより、赤緑色覚障害（例えば第１および第２色盲等）の人にも見やすい表示物が提供できる。
【００１３】
また、例えば、第１波長光が赤であり、第２波長光が紫である場合、第１の反射膜として反射波長がシフトする膜を用いる。同様に、第１波長光が青、第２波長光が黒である場合、第１の反射膜として反射波長がシフトする膜を用いることができる。第１波長光が近赤外光（黒）、第２波長光が青または黒の場合、第１の反射膜として波長が近赤外光からシフトする膜を用いることができる。これらにより、第３色盲の人にも見やすい表示物が提供できる。
【００１４】
上記第１〜第３の態様において、基材は、第１および第２の反射膜を透過した可視光を吸収する性質を有するものを用いることができる。
【００１５】
また、本発明によれば、以下のような表示方法が提供される。
すなわち、垂直入射光に対して所定の赤色波長光を反射し、入射角が大きくなるにつれてその反射波長がシフトする第１の反射膜と、垂直入射光に対して所定の緑色波長光を反射し、入射角が大きくなるにつれてその反射波長がシフトする第２の反射膜とをそれぞれ所定の第１および第２の領域に配置する表示方法であり、第１および第２の領域の色相がそれぞれ、正面から視認した場合には赤色と緑色に視認され、斜め方向から視認した場合にはそれぞれシフトした波長色に視認される方法である。これにより、色覚障害がある人もない人も同時に認識できる表示を行うことができる。
【発明の効果】
【００１６】
本発明の表示物は、視認する方向によって色覚障害がある人もない人も同時に認識できるため、色覚についてのバリアフリーを実現できる。しかも、色覚障害のある人の認識しやすい色の組み合わせ等の知識がなくても、正面から見た場合に赤緑の組み合わせで表示物を作製すればよく、美観に優れたものを容易に製造できる。
【発明を実施するための最良の形態】
【００１７】
本発明の一実施の形態について、図面を用いて説明する。
まず、図１を用いて、本実施の形態の表示物の構成を説明する。図１のように、この表示物は、基材１０と、その上の所定の一部領域に配置された赤色多層干渉反射膜１１と、他の一部の領域に配置された緑色多層干渉反射膜１２とを有し、赤色多層干渉反射膜１１による反射光の示す色相と緑色多層干渉反射膜１２による反射光の示す色相により、文字や記号等の所望の内容を表示している。なお、基材１０の上に、赤色多層干渉反射膜１１と緑色多層干渉反射膜１２がそれぞれ配置された領域以外に、他の色相を示す膜等が配置された領域を設けることも可能である。
【００１８】
基材１０の色は、特に限定されるものではなく、白色や黒色その他所望の色のものを用いることができるが、膜１１、１２を透過した可視光を吸収する作用をする膜であることが望ましいため、本実施の形態では黒色基材を用いる場合について以下説明する。例えば黒色のポリエチレンテレフタレート（ＰＥＴ）フィルムを用いることができる。また、黒色基材１０として、透明基材等に黒色の塗料を塗布したものを用いることも可能である。
【００１９】
赤色多層干渉反射膜１１は、赤色光を反射し、他の可視波長光を透過する性質を有する。赤色多層干渉反射膜１１は、高屈折率樹脂層と低屈折率樹脂層とを交互に多層に積層した樹脂製のものを用いることができる。高屈折率樹脂層および低屈折率樹脂層の膜厚および屈折率を所定の値に設計することにより、入射した所定の波長の赤色光を高効率で反射するように構成されている。設計時には、光の入射角はゼロ（垂直方向からの入射）を想定して、赤色多層干渉反射膜１２を構成する各層の膜厚および屈折率を決定している。
【００２０】
同様に、緑色多層干渉反射膜１２も、正面方向から入射する緑色光を反射し、他の可視波長光を透過する性質を有する。膜１２を構成する高屈折率樹脂層および低屈折率樹脂層の膜厚および屈折率は、膜１２に対して垂直に入射する所定の波長の緑色光を高効率で反射するように決定している。
【００２１】
これら赤色多層干渉反射膜１１および緑色多層干渉反射膜１２は、垂直入射する光に対して、それぞれ赤色および緑色を反射するように設計されているが、斜め方向から入射する光は、多層干渉反射膜における光路差が垂直入射した光より小さくなり、反射する波長が短波長側にシフトする性質を有する。
【００２２】
具体的には、赤色多層干渉反射膜１１は、入射角が大きくなるにつれて反射波長が赤色（６５０ｎｍ付近）から朱色（６００ｎｍ付近）、さらには緑色（５５０ｎｍ付近）にシフトする。同様に、緑色多層干渉反射膜１２は、入射角が大きくなるにつれて反射波長が、緑色（５５０ｎｍ付近）から青緑色（５００ｎｍ付近）、さらには青色（４５０ｎｍ付近）にシフトする。入射角とシフト量との関係は、多層干渉反射膜１１，１２を構成する膜の屈折率および、低屈折率樹脂層と高屈折率樹脂層、それぞれの膜厚によって異なる。
【００２３】
このような構成の表示物は、図２のようにほぼ正面から視認した場合には、視認者は、ほぼ垂直に反射した光を視認するため、赤色多層干渉反射膜１１が赤色光を反射し、緑色多層干渉反射膜１２が緑色光を反射し、赤色と緑色の色分けにより表示を行う。なお、赤色多層干渉反射膜１１および緑色多層干渉反射膜１２を透過した可視波長光は、黒色基材１０により吸収される。
【００２４】
色覚障害のない人は、赤色と緑色の色分け表示を認識できるため、表示物の表示内容を認識できる。しかしながら、赤緑色覚障害のある人は、赤色多層干渉反射膜１１の部分と緑色多層干渉反射膜１２の部分が見分けにくいため、表示を認識しにくい。例えば、下記文献によれば、第１色盲または第２色盲の人、ならびに、第１色弱または第２色弱の人は、赤色も緑色も黄色に見えるため、その境界が認識しにくい。
文献：細胞工学  Vol.21 No.7〜9 2002  「色覚多様性と色覚バリアフリーなプレゼンテーション（全３回）」
なお、以下の説明においても、色覚障害のある人の色の認識（見え方）については、上記文献を参照して記載している。
【００２５】
しかしながら、本実施の形態の表示物は、図３のように、斜め方向から視認した場合には、正面から見た場合とは、異なる波長の光を反射するため、頭の位置を少しずらして表示を斜め方向から視認することにより、赤色と緑色とは異なる色相の色分けにより表示が認識される。これにより、色覚障害のある人も、容易に表示を認識できる。
【００２６】
例えば、赤色多層干渉反射膜１１が朱色光を反射し、緑色多層干渉反射膜１２が青緑色光を反射する角度から視認することにより、同じ表示物でありながら、朱色と青緑色光の色分け表示が視認される。第１色盲または第２色盲の人は、朱色は黄色に、青緑色は黒褐色に認識されるため、黄色と黒褐色の色分け表示として表示内容を認識できる。また、さらに斜め方向に頭の位置をずらし赤色多層干渉反射膜１１が緑色光を反射し、緑色多層干渉反射膜１２が青色光を反射する角度から視認した場合には、緑色と青色光の色分け表示が視認される。第１色盲または第２色盲の人は、緑色は黄色に、青色は青色に認識されるため、黄色と青色の色分け表示として表示内容を認識できる。
【００２７】
以上のように、本実施の形態の表示物は、入射角によって反射波長が異なる多層干渉反射膜を用いているため、正面から視認した場合には赤色と緑色の色分け表示であっても、斜め方向から視認することにより、朱色と青緑色光の色分け表示や、緑色と青色光の色分け表示になる。これにより、赤緑色覚障害のある人は、正面の赤緑の色分けではいずれも黄色に見えて表示を認識しにくくても、頭の位置を少しずらして斜め方向から視認することにより、容易に表示内容を認識することができる。また、色覚障害がない人は、正面でも斜め方向でも視認することができる。よって、赤緑色覚障害のある人もない人も、同時に同じ表示物を見て、内容を認識することができるため、同時に多数の人が内容を認識する必要がある駅や劇場等の案内板等の表示物としても適している。
【００２８】
また、本実施の形態の表示物は、表示物を製造する人が、色覚障害がある人の見にくい色相の組み合わせや見やすい色相の組み合わせを知らなくても、多層干渉反射膜１１、１２を用い、正面から見た場合に色覚障害がない人にとって美観のある表示物を製造するだけで、色覚障害がある人にとっても認識できる表示を製造できる。よって、本実施の形態の表示物を用いることにより、色覚障害がある人に配慮した表示物を容易に製造することができ、色覚に関するバリアフリーを進めることができる。
【００２９】
また、本実施の形態では、赤色多層干渉反射膜１１および緑色多層干渉反射膜１２が黒色基材１０上に並べて配置された構造を示したが、これに限られるものではなく、一部が重なり合っていてもよい。また、黒色基材１０の上に配置されが一方の膜の上の一部領域に、他方の膜を積層した構成にすることも可能である。
【００３０】
また、上記実施の形態では、赤色と緑色の両方に多層干渉反射膜を用いた例について説明したが、色の組み合わせは赤と緑のみ限定されるものではない。また、２色のうちの一方のみを多層干渉反射膜とし、他方は、反射波長がシフトしない膜を用いることもできる。
【００３１】
例えば、赤と緑の組み合わせの場合、緑のみ多層干渉反射膜を用いることができる。赤と緑の組み合わせは、赤緑色覚障害（例えば第１および第２色盲等）の人には、正面から見ると両者とも黄色に見え、見分けにくい組み合わせであるが、斜め方向から視認した場合、赤と青に見えるため、見やすい表示物となる。
【００３２】
また、黄色と赤または緑の組み合わせの場合、黄色のみ、入射角によって黄色から青までシフトする多層干渉反射膜を用いることができる。黄色と赤または黄色と緑の組み合わせは、赤緑色覚障害の人には、正面から見るといずれも黄色に見えて見分けにくいが、斜め方向から視認した場合、青と赤、または、青と緑に見えるため、見やすい表示物となる。なお、黄色の多層干渉反射膜の代わりに、赤の多層干渉反射膜と緑の多層干渉反射膜とを重ね合わせたものを用いることも可能である。
【００３３】
また、赤と紫の組み合わせの場合、赤のみ多層干渉反射膜を用いることができる。赤と紫の組み合わせは、第３色盲の人にとって見にくい組み合わせであるが、斜め方向から見ると、赤が黄色〜緑波長域にシフトし、第３色盲の人には白〜青に認識されるため、白〜青と紫との組み合わせに見える。よって、第３色盲の人にとって見やすい表示となる。同様に、青と黒の組み合わせの場合、青のみ多層干渉反射膜を用いることができる。第３色盲の人にとって、青と黒は見分けにくいが、斜め方向から見ると青が紫波長域にシフトし、第３色盲の人には赤色に認識されるため、赤と黒との組み合わせに見える。これにより、第３色盲の人にも見やすい表示物が提供できる。
【００３４】
また、例えば、一部領域（第１領域）が、垂直入射光に対して近赤外光を反射する黒色の干渉反射膜であり、他の領域（第２領域）が干渉反射膜ではない黒色または青色反射膜を用いることも可能である。この場合、色覚障害のない人もある人も、正面からは第１領域と第２領域の境界を見分けることは困難であるが、斜め方向から見ると、第１領域の干渉反射膜の反射波長が赤色波長領域にシフトするため、第３色盲の人と色覚障害のない人には、赤に認識され、第２領域の黒と合わせて、赤と黒の組み合わせにより認識しやすい表示になる。また、赤緑色覚障害のある人にとっては、シフトした赤色波長領域が黄色に認識されるため、第２領域の黒と合わせて、黄色と黒の組み合わせにより認識可能な表示になる。よって、色覚障害のある人にもない人にも認識できる表示物が提供できる。
【００３５】
上述の実施の形態では、干渉反射膜として、低屈折率樹脂層と高屈折率樹脂層を交互に積層した樹脂製の多層干渉反射膜を用いたが、無機物の低屈折率層と高屈折率層を交互に積層した無機物の多層干渉反射膜を用いることも可能である。なお、樹脂製の多層干渉反射膜の方が、無機物の多層干渉反射膜よりも可撓性の点では優れている。また、層構造を有する薄片状の顔料を透明媒体に分散させることにより形成した干渉反射膜を用いることも可能である。顔料としては例えばメルク株式会社製のパール顔料（登録商標イリオジン）を用いることができる。透明媒体中で顔料を配向させることにより、干渉反射膜を構成することができる。ただし、多層干渉反射膜の方が、顔料を用いた干渉反射膜と比較して、広い面積で干渉を制御しやすいため、製造が容易であるので、用途やコストを考慮して、多層干渉反射膜または顔料を用いる干渉反射膜を選択して用いることが望ましい。
【実施例】
【００３６】
本発明の実施例として、上述の図１の構成の表示物を作製した。黒色基材１０としては、黒色フィルム（ルミラーＸ３０  １００μｍ：東レ社）を用いた。
【００３７】
赤色多層干渉反射膜１１および緑色多層干渉反射膜１２は、図４に示すように、入射角が大きくなるにつれて反射スペクトルのピーク波長がシフトする。具体的には、赤色多層干渉反射膜１１は、入射角５°、３０°、６０°の入射光に対して、反射スペクトルのピーク波長がそれぞれ６５３ｎｍ、６２６ｎｍ、５５７ｎｍにシフトする。よって、赤色多層干渉反射膜１１は、垂直入射光に対しては、赤色光を反射するが、入射角３０°では波長６２６ｎｍの朱色光、入射角６０°では波長５５７ｎｍの緑色光を反射する性質を有する。
【００３８】
同様に、緑色多層干渉反射膜１２は、入射角５°、３０°、６０°では、反射スペクトルのピーク波長がそれぞれ５６４ｎｍ、５０２ｎｍ、４４５ｎｍにシフトする。よって、緑色多層干渉反射膜１２は、垂直入射光に対しては、緑色光を反射するが、入射角３０°では波長５０２ｎｍの青緑色光、入射角６０°の光に対して波長４４５ｎｍの青色光を反射する性質を有する。
【００３９】
本実施例の表示物は、色覚障害がない人が正面から視認した場合には、赤色多層干渉反射膜１１が赤色光を、緑色多層干渉反射膜１２が緑色光を反射し、赤色と緑色の色分けにより表示内容を認識しやすい。一方、３０°斜め方向から視認した場合には、赤色多層干渉反射膜１１が朱色光を、緑色多層干渉反射膜１２が青緑色光を反射し、朱色と青緑色の色分けにより表示内容を認識しやすい。６０°斜め方向から視認した場合には、赤色多層干渉反射膜１１が緑色光を、緑色多層干渉反射膜１２が青色光を反射し、緑色と青色の色分けにより表示内容を認識しやすい。
【００４０】
一方、赤緑色覚障害がある人（第１色盲または第２色盲の人）が正面から視認した場合には、全体が黄色に見え、表示内容を認識しにくい、３０°斜め方向から視認した場合には、赤色多層干渉反射膜１１の部分が黄色に、緑色多層干渉反射膜１２の部分が黒褐色に認識され、黄色と黒褐色の色分け表示として表示内容をやや認識しやすくなる。また、６０°斜め方向から視認した場合には、赤色多層干渉反射膜１１の部分が黄色に、緑色多層干渉反射膜１２の部分が青色に認識され、黄色と青色の色分け表示として表示内容を認識しやすくなる。
【００４１】
よって、本実施例の表示物は、色覚障害のない人の場合、正面および斜め方向から認識でき、色覚障害のある人の場合、正面からは認識できない場合でも斜め方向からは認識できる。よって、色覚障害のある人もない人も、容易に表示内容を認識でき、色覚に関してバリアフリーの表示を実現できた。
【図面の簡単な説明】
【００４２】
【図１】本発明の一実施の形態の表示物の構成を示す断面図。
【図２】図１の表示物を正面から視認する場合の反射光の波長を示す説明図。
【図３】図１の表示物を斜め方向から視認する場合の反射光の波長を示す説明図。
【図４】本実施例の赤色多層干渉反射膜１１と緑色多層干渉反射膜１２について、光の入射角を変化させた場合の反射スペクトルのピーク波長のシフトを示すグラフ。
【符号の説明】
【００４３】
１０…黒色基材、１１…赤色多層干渉反射膜、１２…緑色多層干渉反射膜。
【図１】
2007271946.tif 000003
【図２】
2007271946.tif 000004
【図３】
2007271946.tif 000005
【図４】
2007271946.tif 000006